(57)【要約】【課題】被験者の尿温度を高い精度で測定することが可能な尿温度計を提供する。【解決手段】尿温度計１００は、感温部１２と、電源部５２と、温度制御部（電源制御部）を備えている。感温部１２は雰囲気温度に応じて電気抵抗が変化する抵抗体１４を含み、尿と接触させてこの電気抵抗に基づいて尿の温度を測定する。電源部５２は抵抗体１４に電流を印加する。そして、温度制御部（電源制御部）は電源部５２を制御して、感温部１２を所定の体温近似温度に加熱または冷却する。【選択図】図１
2011252829.tif 000002
【特許請求の範囲】
【請求項１】
雰囲気温度に応じて電気抵抗が変化する抵抗体を含み、尿と接触させて前記電気抵抗に基づいて前記尿の温度を測定する感温部と、
前記抵抗体に電流を印加する電源部と、
前記電源部を制御して、前記感温部を所定の体温近似温度に加熱または冷却する温度制御部と、を備える尿温度計。
【請求項２】
前記温度制御部が、前記抵抗体に電流を印加して前記感温部を前記体温近似温度に温度調整する待機状態と、前記電流を低減させて前記抵抗体で前記尿の温度を測定する測温状態と、に前記電源部を制御する請求項１に記載の尿温度計。
【請求項３】
前記体温近似温度を可変に設定する温度設定部をさらに備える請求項１または２に記載の尿温度計。
【請求項４】
前記感温部による温度の測定結果を記憶しておく記憶部をさらに備え、
前記温度設定部が、前記測定結果に応じて前記体温近似温度を設定することを特徴とする請求項３に記載の尿温度計。
【請求項５】
前記記憶部が、複数のユーザを互いに識別するユーザ番号に対応づけて前記測定結果を記憶し、
前記温度設定部が、記憶された測定結果に応じて前記ユーザごとに前記体温近似温度を個別に設定する請求項４に記載の尿温度計。
【請求項６】
前記感温部の雰囲気温度を測定する雰囲気温度測定部と、
前記感温部による測定結果と前記雰囲気温度とに基づいて前記測定結果を温度補償する補償演算部と、をさらに備える請求項１から５のいずれか一項に記載の尿温度計。
【請求項７】
前記感温部と前記雰囲気温度測定部とが共通の温度センサからなり、
前記感温部が前記体温近似温度に温度調整されたことを示す測温状態表示部をさらに備える請求項６に記載の尿温度計。
【請求項８】
排泄されてから前記感温部に至るまでの前記尿の落下距離に対応する距離情報を記憶しておく距離情報記憶部をさらに備え、
前記補償演算部が、前記感温部による測定結果、前記雰囲気温度および前記距離情報に基づいて前記測定結果を温度補償する請求項６または７に記載の尿温度計。
【発明の詳細な説明】
【技術分野】
【０００１】
本発明は、尿温度計に関する。
【背景技術】
【０００２】
体の深部体温を測定する方法として、尿温度を用いることが試みられている。これに対応して、被験者が排泄した尿を採尿容器で採取してその温度を測定する尿温度計が提案されている（例えば特許文献１を参照）。
【０００３】
また、特許文献２には、尿中のグルコース濃度を尿センサーで測定する測定装置において、排泄された尿の温度を測定することが記載されている。この測定装置の尿センサーは、センサー部の裏面に装着されたヒーター部と、このヒーター部と異なる位置に設けられた温度検出部とを備えており、温度検出部で検出した尿温度のデータに基づいてセンサー部を校正する。
【先行技術文献】
【特許文献】
【０００４】
【特許文献１】特開２０１０−４８７０４号公報
【特許文献２】特開２００２−４８７８７号公報
【発明の概要】
【発明が解決しようとする課題】
【０００５】
しかしながら、特許文献１の尿温度計の場合、尿温度を高い精度で測定することが困難である。たとえば寒冷の冬期などは、雰囲気温度によって冷やされた採尿容器によって、尿温度が測定中に顕著に低下してしまうためである。
特許文献２の測定装置も同様であり、測定対象の尿が尿センサーと熱授受をするため、尿温度を高い精度で測定することが困難である。この測定装置は、グルコース濃度を測定するセンサー部をヒーター部によって所定温度に加熱して校正することはできるものの、ヒーター部は温度検出部を加熱するものではなく、温度検出部と尿との熱授受を抑えることができないからである。
【０００６】
本発明は上述のような課題に鑑みてなされたものであり、被験者の尿温度を高い精度で測定することが可能な尿温度計を提供するものである。
【課題を解決するための手段】
【０００７】
本発明の尿温度計は、雰囲気温度に応じて電気抵抗が変化する抵抗体を含み、尿と接触させて前記電気抵抗に基づいて前記尿の温度を測定する感温部と、前記抵抗体に電流を印加する電源部と、前記電源部を制御して、前記感温部を所定の体温近似温度に加熱または冷却する温度制御部と、を備える。
【０００８】
上記発明によれば、尿の温度を測定する感温部を所定の体温近似温度に温度調整することができるため、尿温度の測定中に尿と感温部との間の熱授受の発生を抑制することができる。
【０００９】
なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【発明の効果】
【００１０】
本発明の尿温度計によれば、尿温度を測定するための抵抗体を用いて感温部を体温近似温度に温度調整することができるため、被験者の尿温度を高い精度で測定することが可能である。
【図面の簡単な説明】
【００１１】
【図１】本発明の実施形態にかかる尿温度計の正面図であり、（ｂ）はその内部構造を示す機器配置図である。
【図２】実施形態の尿温度計の機能ブロック図である。
【図３】距離情報の例を示す図である。
【図４】実施形態にかかる尿温度測定方法のフローチャートである。
【発明を実施するための形態】
【００１２】
本発明の各種の構成要素は、その機能を実現するように形成されていればよく、たとえば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
また、本発明の構成要素がデータを記憶するとは、本発明の装置が、データを記憶する機能を少なくとも有することを意味しており、当該データが現に格納されていることを必ずしも要しない。
さらに、本発明の尿温度計は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００１３】
以下、本発明の実施形態を図面に基づいて説明する。尚、すべての図面において、同様な構成要素には同様の符号を付し、適宜説明を省略する。
【００１４】
図１（ａ）は本発明の実施形態にかかる尿温度計１００の正面図であり、同図（ｂ）はその内部構造を示す機器配置図である。
図２は尿温度計１００の機能ブロック図である。
【００１５】
はじめに、本実施形態の尿温度計１００の概要について説明する。
尿温度計１００は、雰囲気温度に応じて電気抵抗が変化する抵抗体１４を含み、尿と接触させて電気抵抗に基づいて尿の温度を測定する感温部１２と、抵抗体１４に電流を印加する電源部５２と、電源部５２を制御して、感温部１２を所定の体温近似温度に加熱または冷却する温度制御部（電源制御部５４）と、を備えている。
【００１６】
次に、本実施形態についてより詳細に説明する。
本実施形態の尿温度計１００は全体に略棒状をなし、可搬性を有している。図１（ａ）に示すように、尿温度計１００は、基端側にあたる太径の筐体部７４と、その先端側の細径のアーム部７５とを備えている。筐体部７４には、測定された尿温度を表示する表示出力部２２と、尿温度計１００の電源のオン・オフを切り替える電源ボタン２４と、被験者からの各種の入力を受け付ける操作ボタン２６が設けられている。ユーザである被験者は、筐体部７４を手で把持した状態で、感温部１２に対して尿を排出する。
【００１７】
本実施形態の表示出力部２２は、小数点以下第二位までの摂氏温度の表示形式で測定温度を表示する（図示の例では、３６度２分５厘）。本実施形態の尿温度計１００は、感温部１２を体温近似温度に予備的に温度調整することで、温度測定中の尿と感温部１２との熱授受が抑えられるため、小数点以下第二位のオーダーの測定精度を実現することができる。そして、このオーダーで尿温度を測定することで、たとえば病気の発症前の体調変化や、基礎体温の周期的な変化を検知することが可能となる。
【００１８】
感温部１２を温度調整する体温近似温度としては、３６℃以上３８℃以下を少なくとも含む温度範囲を採用することができる。後述するように、本実施形態の尿温度計１００では、体温近似温度の設定値がユーザ（被験者）ごとに可変であり、ユーザ個々の平熱温度に対応して感温部１２を種々の設定温度に温度調整することができる。
【００１９】
また、図１（ｂ）に示すように、筐体部７４には電源部５２や基板７６が設けられている。筐体部７４の先端側には細径のアーム部７５が形成されている。アーム部７５の先端には感温部１２が設けられ、アーム部７５の内部には感温部１２に接続された給電線１３が挿通されている。給電線１３の基端は基板７６に接続されている。
【００２０】
基板７６には、制御ユニット７８と記憶装置７９が搭載されている。基板７６には電源部５２より電圧が供給されて制御ユニット７８および記憶装置７９が駆動される。
【００２１】
温度調整部５０は、感温部１２を加熱または冷却して、これを所定の体温近似温度に温度調整する手段である（図２を参照）。
【００２２】
本実施形態の感温部１２は、雰囲気温度に応じて電気抵抗が変化する抵抗体１４を含む。この種の感温部１２には、半導体温度センサであるサーミスタや、測温抵抗体である白金センサなどを用いることができる。電源制御部５４の機能は、具体的には制御ユニット７８により実現される。
本実施形態の尿温度計１００は、給電線１３を通じて感温部１２に微弱な電流を印加して抵抗体１４の電気抵抗を測定することにより、感温部１２の温度を計測する。一方、給電線１３により大きな電流を印加して抵抗体１４を発熱させることで、感温部１２を所望の温度に加熱する。
【００２３】
すなわち、電源制御部５４は、抵抗体１４に電流を印加して感温部１２を体温近似温度に温度調整する待機状態と、この電流を低減させて抵抗体１４で尿の温度を測定する測温状態と、に電源部５２を制御する。
【００２４】
感温部１２には、ＰＴＣ（positive temperature coefficient）サーミスタとＮＴＣ（negative temperature coefficient）サーミスタをいずれも用いることができるが、温度上昇に対して抵抗が減少する性質をもつＮＴＣサーミスタがより好ましい。雰囲気温度が低温で感温部１２を大幅に加熱する必要がある場合に、抵抗体１４の抵抗が大きく発熱率が高いことが好ましいためである。これにより、雰囲気温度を初期温度とする感温部１２を所望の体温近似温度まで迅速に加温することができ、さらに体温近似温度に近づいた抵抗体１４の発熱率が低減することで感温部１２をきめこまかく温度調整することができる。なお、ＮＴＣサーミスタにはＣＴＲ（critical temperature resistor）サーミスタを含む。
【００２５】
電源制御部５４は、抵抗体１４に大電流を印加して感温部１２を加熱する加熱モードと、この電流を微弱に低減して感温部１２の電気抵抗を計測して感温部１２の温度を測定する温度測定モードと、を連続的に切り替える。これにより、一式の給電線１３および抵抗体１４を用いて感温部１２を所望の体温近似温度に温度調整することができる。言い換えると、本実施形態の尿温度計１００は、感温部１２、給電線１３および電源制御部５４により構成される温度センサ１０を加熱部５６としても用いることで、少ない部品点数により感温部１２を所望の体温近似温度に加温する。
【００２６】
また、本実施形態の尿温度計１００は、感温部１２を除熱する冷却部５８を任意で備えている。本実施形態の冷却部５８は、ペルチェ素子５８１と、ペルチェ素子５８１に電流を供給する給電線５８２と、ペルチェ素子５８１の放熱用のヒートシンク５８３およびファン５８４とで構成されている。ヒートシンク５８３はペルチェ素子５８１の廃熱側に接続された棒状の金属材料からなり、アーム部７５から筐体部７４に亘って設けられている。ファン５８４は電源部５２より給電されて回転動作し、ヒートシンク５８３を空冷する。電源制御部５４は、抵抗体１４の電気抵抗に基づく感温部１２の温度を測定しつつ、給電線５８２およびペルチェ素子５８１に供給する電流量を制御することで、感温部１２を所望の体温近似温度に冷却することができる。
【００２７】
すなわち、本実施形態の温度調整部５０は、感温部１２を加熱する加熱部５６および感温部１２を冷却する冷却部５８を含む。
これにより、尿温度計１００の雰囲気温度が尿温度よりも高い季節および地域においても、感温部１２を所望の体温近似温度に温度調整することができる。また、抵抗体１４を加熱源とする加熱部５６と、ペルチェ素子５８１を冷却源とする冷却部５８とを併用することで、感温部１２を所望の温度に高い精度で温度調整することができる。
【００２８】
図２に示すように、本実施形態の尿温度計１００は温度設定部２０を備えている。温度設定部２０は、体温近似温度を可変に設定する手段である。温度設定部２０は、操作ボタン２６と制御ユニット７８とで実現される（図１を参照）。
【００２９】
より具体的には、ユーザは操作ボタン２６を操作して体温近似温度を設定する。温度設定部２０は、ユーザにより入力された平熱温度を体温近似温度として受け付ける。また、温度設定部２０は、複数のユーザごとに異なる体温近似温度を受け付けて、当該ユーザを識別するユーザ番号に対応づけて体温近似温度の設定値を保持してもよい。
【００３０】
後述するように、本実施形態の温度設定部２０は、尿温度の測定結果に応じて体温近似温度を設定する。すなわち、温度設定部２０は、ユーザの尿温度の測定結果を、当該ユーザの次回の体温近似温度として設定することができる。
【００３１】
尿温度計１００は、感温部１２による温度の測定結果を記憶しておく記憶部３０を備えている。記憶部３０は、ユーザごとの体温近似温度をユーザ番号に対応づけて記憶する。記憶部３０は記憶装置７９により実現される（図１を参照）。
【００３２】
尿温度計１００は、感温部１２の雰囲気温度を測定する雰囲気温度測定部４０を備えている。また、尿温度計１００は、感温部１２による測定結果と雰囲気温度とに基づいて測定結果を温度補償する補償演算部６０を備えている。
【００３３】
雰囲気温度測定部４０には、尿温度測定用の温度センサ１０を共用してもよく、または他の温度センサ（図示せず）を用いてもよい。本実施形態では、雰囲気温度の測定タイミングと尿温度の測定タイミングとを異ならせることで、一式の温度センサ１０によって雰囲気温度と尿温度とをいずれも測定することができる。
【００３４】
すなわち、感温部１２と雰囲気温度測定部４０とは共通の温度センサ１０からなる。そして、本実施形態の尿温度計１００は、感温部１２が体温近似温度に温度調整されたことを示す測温状態表示部４２を備えている。本実施形態の測温状態表示部４２は、表示出力部２２に視覚的に表示されるアイコンである。このほか、測温状態表示部４２には、発光状態（点灯・消灯を含む）を変化させる発光体や、ブザーなどの発音体を用いてもよい。
【００３５】
図１（ｂ）および図２に示す液体検出部１９は、感温部１２を含むアーム部７５の先端に尿が接触したことを検知する手段である。液体検出部１９としては、電解質を含む尿の電導性を利用した導通検知器を用いることができる。
【００３６】
本実施形態の尿温度計１００は、排泄されてから感温部１２に至るまでの尿の落下距離に対応する距離情報を記憶しておく距離情報記憶部３２を備えている。そして、補償演算部６０は、感温部１２による測定結果、雰囲気温度および距離情報に基づいて測定結果を温度補償する。
【００３７】
距離情報記憶部３２および補償演算部６０は、制御ユニット７８および記憶装置７９により実現される（図１（ｂ）を参照）。
【００３８】
距離情報は、ユーザによる操作ボタン２６の操作によって入力される。
距離情報記憶部３２にテーブル形式で記憶される距離情報の例を図３に示す。距離情報は、ユーザ（被験者）の身長、男女の性別、年齢などの入力情報に基づいて補償演算部６０に決定される。距離情報は、複数段階に区分されて距離情報記憶部３２に記憶されている。例えば、ユーザ番号１は高身長の男性であり、尿の落下距離は大きな値（段階５）が記憶されている。すなわち、距離情報の数値が大きい場合、当該ユーザの尿は感温部１２に至るまでの雰囲気中の落下距離が大きいことを意味する。
【００３９】
補償演算部６０は、雰囲気温度と測定結果との乖離量に応じて、測定結果を増減修正する。より具体的には、記憶部３０に予め記憶された正の比例係数を乖離量（雰囲気温度−測定結果）に乗じた補正値を測定結果に加算する。
さらに、本実施形態の補償演算部６０は、距離情報の数値が大きい場合に雰囲気温度に起因する尿の温度変動が大きいと推定し、距離情報と正の相関をもつ修正係数を上記の補正値に乗じたうえで測定結果に加算する。
【００４０】
これにより、本実施形態の尿温度計１００は、空中を落下している間の尿の温度変動を補償し、さらに感温部１２による熱授受を抑制して尿温度を測定することができる。このため、感温部１２の熱容量を小さくして尿温度に対する検知感度を鋭敏にすることができる。
【００４１】
図２に戻り、データ送信部８４は、温度補償された尿温度の測定結果を尿温度計１００の外部に送信するインタフェースである。具体的には、測定結果を携帯電話機に赤外線またはメールで送信する無線送信部や、ＵＳＢ（Universal Serial Bus）端子などを例示することができる（図１各図には図示省略）。
【００４２】
以下、本実施形態の尿温度計１００による尿温度測定方法（以下、本方法）について説明する。図４は、本方法のフローチャートである。
【００４３】
はじめに、本方法の概要について説明する。
本方法は、感温部１２に尿を接触させて尿の温度を測定する方法に関する。
そして本方法は、温度調整工程Ｓ３０と尿温度測定工程Ｓ６０を含む。
温度調整工程Ｓ３０では、感温部１２を加熱または冷却して、予め設定された所定の体温近似温度に温度調整する。
尿温度測定工程Ｓ６０では、温度調整された感温部１２に対して、排泄されて空中を落下する尿を接触させて尿の温度を測定する。
【００４４】
温度調整工程Ｓ３０と尿温度測定工程Ｓ６０とは、温度調整工程Ｓ３０が先に終了するかぎり、互いに時間的に一部同士が重複してもよい。
【００４５】
以下、図２および図４を用いて本方法をより詳細に説明する。
【００４６】
本方法では、電源ボタン２４（図１（ａ）を参照）を押下して尿温度計１００に電源を投入すると、初期処理Ｓ１０をおこなう。初期処理Ｓ１０では、ユーザ番号の入力を受け付け、当該ユーザに関する体温近似温度を呼び出す。本方法の初回実行時には、予め記憶部３０に記憶された初期設定値（例えば３６．９℃）などの値を用いてもよい。二回目以降の尿温測定の場合は、後述するように過去のいずれかの測定結果を呼び出して当該ユーザの体温近似温度としてもよい。
【００４７】
次に、尿温度計１００では、雰囲気温度測定部４０により感温部１２の雰囲気温度を測定する雰囲気温度測定工程Ｓ２０をおこなう。そして、雰囲気温度の測定後に、感温部１２を体温近似温度に温度調整する（温度調整工程Ｓ３０）。
【００４８】
より具体的には、雰囲気温度測定工程Ｓ２０では、電源制御部５４は、抵抗体１４を実質的に加温することのない程度に微弱な電流を抵抗体１４に印加して、その電気抵抗値を求めることで感温部１２の雰囲気温度を測定する。雰囲気温度が測定されると、続けて尿温度計１００は感温部１２の温度調整をおこなう（温度調整工程Ｓ３０）。
【００４９】
温度調整工程Ｓ３０では、温度調整部５０は、感温部１２に電流を印加して感温部１２を体温近似温度に温度調整する。温度調整部５０は、必要に応じて冷却部５８を併用して感温部１２を体温近似温度とする。
【００５０】
感温部１２が所望の体温近似温度になったことを温度調整部５０が検知すると、温度調整部５０は測温状態表示部４２を動作させ、尿温度計１００が温度測定のスタンバイ状態になったことをユーザに告知する（ステップＳ４０）。
【００５１】
測温状態表示部４２により温度調整の完了が告知されたのち、ユーザは感温部１２に尿を接触させて尿温度を測定する。
【００５２】
具体的には、スタンバイ状態において液体検出部１９が感温部１２への尿の接触を検知すると（ステップＳ５０：ＹＥＳ）、温度調整部５０による感温部１２の加熱または冷却は停止し、感温部１２は尿の温度測定をおこなう（尿温度測定工程Ｓ６０）。これにより、尿温度が測定される瞬間まで感温部１２が体温近似温度を維持することが可能である。そして、尿温度を測定する際には、温度調整部５０による温度調整が自動的に停止しているため、温度調整部５０が測定結果に誤差を与えることはない。
【００５３】
なお、液体検出部１９が尿を検知しない間は（ステップＳ５０：ＮＯ）、測温状態表示部４２によるスタンバイ表示を継続する。
【００５４】
尿温度の測定結果は、補償演算部６０により上述のように補償演算がなされて（ステップＳ７０）、記憶部３０に記録される（ステップＳ８０）。
【００５５】
本実施形態の記憶部３０は、複数のユーザを互いに識別するユーザ番号に対応づけて測定結果を記憶する。
つぎに、尿温度計１００では、体温近似温度の再設定をおこなう（ステップＳ９０）。具体的には、温度設定部２０は、記憶された測定結果に応じて当該ユーザごとに体温近似温度を個別に設定する。
【００５６】
更新された体温近似温度は、当該ユーザのユーザ番号に対応づけて記憶部３０に格納される。そして、本方法の次回実行時における初期処理Ｓ１０にて、更新された体温近似温度が当該ユーザに関する感温部１２の温度調整の設定値となる。
【００５７】
これにより、平熱温度が互いに異なる複数人のユーザに対して、個別に感温部１２を高精度に温度調整することができる。
【００５８】
また、温度補償された測定結果は、表示出力部２２（図１（ａ）を参照）にて表示出力される（ステップＳ１００）。
【００５９】
なお、本発明は上述の実施形態に限定されるものではなく、本発明の目的が達成される限りにおける種々の変形、改良等の態様も含む。
【００６０】
上記実施形態においては可搬式の尿温度計１００を例示したが、本発明はこれに限られない。アーム部７５を便器（図示せず）または便座に固定するための装着部をさらに有する、据置型の尿温度計としてもよい。
【００６１】
そして、便器または便座に対して尿温度計１００に常設しておくことにより、被験者は日常的に自身の尿温度を測定することができる。このため、腋下温度をあえて測定する動機づけに至らない未病状態などにおいても、僅かな体調の悪化を検知することができる。
【００６２】
また、本発明の尿温度計１００は、尿温度以外の生体パラメータを尿より取得してもよい。一例として、尿に含まれる尿糖の量を計測する尿糖計の機能を有してもよい。具体的には、温度センサ１０の感温部１２と同位置に、尿糖値を測定するバイオセンサを並設するとよい。バイオセンサとしては、たとえば、尿中のグルコースを酵素によって過酸化水素に変え、その過酸化水素の量を測定する、いわゆる酵素電極法に基づく尿糖計を用いることができる。
【００６３】
そして、尿温度計１００の制御部では、温度センサ１０による尿温度の測定結果を用いて、尿糖計の測定結果を温度補償してもよい。具体的には、制御部は、温度センサ１０による測定温度を取得する尿温度取得部と、尿糖計で測定された尿糖値を取得する尿糖値取得部と、尿温度と補正係数とを対応付けた記憶部と、取得した測定温度に対応する補正係数を記憶部から呼び出して尿糖値（取得値）を補正する尿糖値補正部と、を備えるとよい。これにより、本発明による高精度の尿温度測定結果を用いて尿糖値を温度補償することができるため、尿糖値に関しても高い精度で測定することが可能となる。
【００６４】
上記実施形態に示した尿温度計１００は、以下の技術思想を包含する。
（付記１）
前記温度制御部が、前記感温部を加熱する加熱部および前記感温部を冷却する冷却部を含む尿温度計。
（付記２）
前記感温部と前記尿とが接触したことを検出する液体検出部をさらに備え、
前記液体検出部による検出結果に基づいて前記感温部が前記尿の温度測定を開始する尿温度計。
（付記３）
前記液体検出部による前記検出結果に基づいて前記温度調整部による感温部の加熱または冷却が停止する尿温度計。
【符号の説明】
【００６５】
１０    温度センサ
１２    感温部
１３    給電線
１４    抵抗体
１９    液体検出部
２０    温度設定部
２２    表示出力部
２４    電源ボタン
２６    操作ボタン
３０    記憶部
３２    距離情報記憶部
４０    雰囲気温度測定部
４２    測温状態表示部
５０    温度調整部
５２    電源部
５４    電源制御部
５６    加熱部
５８    冷却部
５８１    ペルチェ素子
５８２    給電線
５８３    ヒートシンク
５８４    ファン
６０    補償演算部
７４    筐体部
７５    アーム部
７６    基板
７８    制御ユニット
７９    記憶装置
８４    データ送信部
１００    尿温度計
【図１】
2011252829.tif 000003
【図２】
2011252829.tif 000004
【図３】
2011252829.tif 000005
【図４】
2011252829.tif 000006